(57)【要約】【課題】  転送しようとするテキストデータを幾何学的に変形したり、文字や背景色に変化を加える文字変形効果を提供できるテキストメッセージ転送サービス提供方法及びそのためのシステムを提供すること。【解決手段】  本発明によるテキストメッセージ転送サービス提供方法では、文字情報の変形のための変形リストデータを書き込むためのデータベース手段を保持し、第１のユーザの第１の端末機から第１の文字情報、該第１の文字情報に対する変形要求情報、または第２のユーザの第２の端末機の番号情報を受信し、前記データベース手段に書き込まれた前記変形リストに基づいて、前記受信した変形要求情報に対応するように、前記第１の文字情報を第２の文字情報に変形し、前記受信された番号情報に対応する前記第２のユーザの前記第２の端末機とのセッションを設定するセッションを設定し、前記セッションを通して前記第２のユーザの前記第２の端末機に前記第２の文字情報を転送する。【選択図】      図１
2005071369.tif 000002
【特許請求の範囲】
【請求項１】
テキストメッセージ転送サービス提供方法において、
文字情報の変形のための変形リストデータを書き込むためのデータベース手段を保持するステップと、
第１のユーザの第１の端末機から第１の文字情報、前記第１の文字情報に対する変形要求情報、または第２のユーザの第２の端末機の番号情報を受信するステップと、
前記データベース手段に書き込まれた前記変形リストに基づいて、前記受信した変形要求情報に対応するように、前記第１の文字情報を第２の文字情報に変形するステップと、
前記受信された番号情報に対応する前記第２のユーザの前記第２の端末機とのセッションを設定するステップと、
前記セッションを通して前記第２のユーザの前記第２の端末機に前記第２の文字情報を転送するステップとを含むことを特徴とするテキストメッセージ転送サービス提供方法。
【請求項２】
前記データベースに書き込まれる前記変形リストデータは、文字のフォントごとのベクトル軌跡データ、前記文字の色に関連した文字色データ、前記文字の大きさ及び前記文字の幾何学的変形効果と関連した文字効果テンプレートデータ、または前記文字の幾何学的変形を行うための文字効果データのうちの１つ以上を含むことを特徴とする請求項１に記載のテキストメッセージ転送サービス提供方法。
【請求項３】
前記第２のユーザの前記第２の端末機とのセッションを設定する前記ステップは、
前記第２のユーザの前記第２の端末機に所定のシステムにアクセスするためのコールバックＵＲＬを含む短文メッセージ(ＳＭＳ)を転送するように制御するステップと、
前記第２のユーザの確認応答を受信し、前記第２のユーザの前記第２の端末機とのアクセスを行うステップとを含むことを特徴とする請求項１に記載のテキストメッセージ転送サービス提供方法。
【請求項４】
前記第２のユーザの前記第２の端末機とのセッションを設定する前記ステップは、ＷＡＰ(Wireless Application Protocol) Ｐｕｓｈ方式で行われることを特徴とする請求項１に記載のテキストメッセージ転送サービス提供方法。
【請求項５】
前記第１のユーザの前記第１の端末機または前記第２のユーザの前記第２の端末機は、通信モジュールを搭載している所定の移動通信端末機器またはパーソナルコンピュータであることを特徴とする請求項１に記載のテキストメッセージ転送サービス提供方法。
【請求項６】
前記データベース手段は、前記文字情報の変形のための所定のユーザアプリケーションをさらに書き込んでおり、
前記第１のユーザの前記第１の端末機から第１の文字情報及び前記第１の文字情報に対する変形要求情報を受信する前記ステップは、
前記第１のユーザの前記第１の端末機に前記ユーザアプリケーションを転送するステップと、
前記ユーザアプリケーションを通して前記第１のユーザの前記第１の端末機とのセッションを設定するステップと、
前記セッションを通して前記第１のユーザの入力に対応する前記変形要求情報を受信するステップとを含むことを特徴とする請求項１に記載のテキストメッセージ転送サービス提供方法。
【請求項７】
前記ユーザアプリケーションは、前記第１の文字情報に対する変形情報を入力されるための入力フィールドを含み、
前記入力フィールドは、背景色入力フィールド、フォントの形態入力フィールド、文字色フィールドのうちの１つ以上を含むことを特徴とする請求項６に記載のテキストメッセージ転送サービス提供方法。
【請求項８】
請求項１乃至７の何れかの方法を実行するためのプログラムを書き込んだコンピュータで読み取り可能なことを特徴とする記録媒体。
【請求項９】
テキストメッセージ転送サービス提供システムにおいて、
文字情報の変形を行うための変形リストデータを書き込むためのデータベース手段と、
移動通信網または有無線インターネットとの接続処理を行うためのインタフェース部と、
前記データベース手段に書き込まれた前記変形リストデータを参照し、第１のユーザから受信された第１の文字情報と文字変形要求情報に対応して前記第１の文字情報を第２の文字情報に変形するための文字変形部と、
前記第２のユーザから受信した確認応答に対応し、前記第２のユーザの前記第２の端末機に前記第２の文字情報を転送するように制御する制御モジュールと、
前記第１のユーザまたは前記第２のユーザのアクセスを管理するためのユーザ管理モジュールとを備え、
前記制御モジュールは、前記第２のユーザの前記第２の端末機に前記第２の文字情報を受信するか否かを通知するための短文メッセージサービス(ＳＭＳ)サーバを制御するためのＳＭＳサーバ制御モジュールを含むことを特徴とするテキストメッセージ転送サービス提供システム。
【発明の詳細な説明】
【技術分野】
【０００１】
本発明は、テキストメッセージ転送サービス提供方法及びそのシステムに関し、より詳しくは、転送しようとするテキストデータを幾何学的に変形するか、あるいは、文字や背景色に変化を加える文字変形効果を与えられるテキストメッセージ転送サービス提供方法及びそのためのシステムに関する。
【背景技術】
【０００２】
テキストメッセージ転送サービスとは、携帯電話またはＰＤＡなどの通信モジュールを搭載している移動通信端末機器のユーザに発信者が入力する所定のテキスト情報を転送するサービスであり、このようなテキストメッセージ転送サービスは、前記移動通信端末機器またはパーソナルコンピュータ(ＰＣ)などの端末手段を用いて無線通信事業者のテキストメッセージ転送サービスセンターに接続し、転送しようとするテキストデータを入力し、これを受信者の移動通信端末機器に転送するようにする方式で行われているのが普通である。
【０００３】
現在サービスされているテキストメッセージ転送サービスとしては、一回の転送容量が８０ｂｙｔｅ(ハングル文字４０字内外)のテキストメッセージを伝達できる短文メッセージサービス(SMS: Short Message Service)と、ハングル文字２００字以上のテキストメッセージを伝達できる長文メッセージサービス(LMS: Long Message Service)とが一般化されており、近来、マルチメディアメッセージサービス(Multimedia Message Service)と通称されている、転送しようとするテキスト(text)データにイメージ、サウンド、写真、アイコンなどの様々なマルチメディアコンテンツを挿入して転送するメッセージ転送方法も一般化されている。
【０００４】
しかし、従来の移動通信網を介した短文メッセージサービスシステム(SMS)においては、文字に移動、回転、かつ、スケーリングなどの多次元の変形及び色の変化を適用した文字効果を与えるには技術的な限界があった。これは、上述のように、短文メッセージサービスを利用して転送できるデータの容量が所定の大きさに制限されるという根本的な問題によるものであるが、このような技術的な限界は、マルチメディア機能を支援する無線インターネット網の活用及び無線端末機の普及・成長に対応するメッセージ転送ビジネス方法の限界につながり、その結果、技術革新に対応する文字転送サービスの障害要因となっている。
【０００５】
また、テキストメッセージサービスを利用するユーザが多くなり、テキストメッセージサービスのそのものが広報手段として用いられている現実を考慮するとき、現在の千篇一律の単純なテキスト中心のテキストメッセージサービス方法ではユーザまたは企業の様々な要求を満たすことができないという問題点があった。
【発明の開示】
【発明が解決しようとする課題】
【０００６】
本発明は、上記問題点に鑑みなされたものであり、移動通信網または有無線インターネットを介してユーザの端末機に出力されるテキストメッセージに幾何学的変形及び様々な色効果を提供することにより、テキストメッセージユーザの様々なニーズに応えられるようにする文字変形効果を与えるテキストメッセージ転送サービス方法及びそのシステムを提供することを目的とする。
【０００７】
また、テキストメッセージユーザにより自分好みの形態及び色の文字を転送できるようにすることにより、テキストメッセージ転送サービスの活性化はもちろん、有無線通信網のさらなる利用を促せるようにする文字変形効果を与えるテキストメッセージ転送サービス方法及びそのシステムを提供することを他の目的とする。
【課題を解決するための手段】
【０００８】
上記の目的を達成するため、本発明によるテキストメッセージ転送サービス提供方法は、文字情報の変形のための変形リストデータを書き込むためのデータベース手段を保持するステップと、第１のユーザの第１の端末機から第１の文字情報、該第１の文字情報に対する変形要求情報、または第２のユーザの第２の端末機の番号情報を受信するステップと、前記データベース手段に書き込まれた前記変形リストに基づいて、前記受信した変形要求情報に対応するように、前記第１の文字情報を第２の文字情報に変形するステップと、前記受信された番号情報に対応する前記第２のユーザの前記第２の端末機とのセッションを設定するステップと、前記セッションを通して前記第２のユーザの前記第２の端末機に前記第２の文字情報を転送するステップとを含むことを特徴とする。
【０００９】
以下、本発明の好ましい実施の形態を、添付図面に基づいて詳しく説明する。
【００１０】
図１は、様々な視覚的効果を与えたテキストメッセージ転送サービス提供方法を示すフローチャートである。図１に示す一実施の形態においては、第１のユーザからテキストデータ及び変形要求情報などを受信し、第２のユーザに変形されたテキストデータを転送している。
【００１１】
以下、図１を参照して本発明の一実施の形態によるテキストメッセージ転送サービス提供方法を各ステップごとに詳しく説明する。
【００１２】
まず、ステップＳ１０１では文字変形リストを書き込むデータベースを保持する。前記文字変形リストは、文字のフォントごとのベクトル軌跡データ、前記文字の色に関連した文字色データ、前記文字の大きさ及び前記文字の幾何学的変形効果と関連した文字効果テンプレートデータ、または前記文字の幾何学的変形を行うための文字効果データのうちの１つ以上を含む文字変形リストデータであってもよい。このような文字変形リストは、発信者から受信されたテキストデータを前記発信者が指定する所定の変形要求情報に対応して前記テキストデータを変形できるようにするためのものである。この文字変形リストデータについては、ステップＳ１０３で詳述する。
【００１３】
次に、ステップＳ１０２では、第１のユーザの第１の端末機から第１の文字情報、前記第１の文字情報に対する変形要求情報、第２のユーザの第２の端末機の番号を受信する。ステップＳ１０２では、前記第１のユーザは、テキストメッセージ発信者であり、前記第１の端末機は、前記第１のユーザが所定のテキストメッセージを転送できる端末手段である、ＰＤＡまたは携帯電話を含む移動通信端末機器または所定の有無線インターネット網を介して接続されたパーソナルコンピュータであってもよい。前記第１のユーザは、前記第１の端末機を介して自分が転送しようとするテキストデータ(text data)、前記テキストデータに対する変形要求情報、またはテキストメッセージを受信する第２のユーザの第２の端末機番号をテキストメッセージ転送サービスシステムに転送する。ステップＳ１０２では、前記第１のユーザが移動通信端末機器である前記第２の端末機を介してテキストメッセージを転送する場合、前記第２の端末機に設置されている所定のユーザ(client)アプリケーションを駆動し、前記テキストメッセージ転送サービスシステムと所定のセッションとを設定し、前記セッションを通して転送しようとするテキストデータ及び前記テキストデータに対する変形情報を入力することができる。前記セッションは、所定の端末機と所定のシステムとの間に設定される、特定のサービスが行われるか、データの送受信が可能な物理的または論理的通信チャンネルを意味する。また、前記ユーザアプリケーションは、一例として移動通信端末機器の仮想マシン(Virtual Machine)基盤で動作する特別に設計されたプログラムであってもよい。
【００１４】
例えば、前記第１のユーザが「特許出願の件」というテキストメッセージを転送する場合、前記第１のユーザは、ユーザアプリケーションを通して「グンショ体」というフォント及び「Italic」という文字の形態を選択することができ、「オレンジ色」という文字の色及び「白色」という背景色を指定することができる。このような前記第１の端末機に設置されたユーザアプリケーションを通したテキストデータまたはテキストデータの変形要求情報を入力する方法は、図２に対する説明で詳しく説明する。
【００１５】
次に、ステップＳ１０３では、前記データベースに書き込まれた前記変形リストに基づいて、前記受信した変形要求情報に対応するように前記第１の文字情報を第２の文字情報に変形する。
【００１６】
上述のように、前記データベースに書き込まれる前記変形リストは、文字のフォントごとのベクトル軌跡データ、前記文字の色に関連した文字色データ、前記文字の大きさ及び前記文字の幾何学的変形効果と関連した文字効果テンプレートデータ、または前記文字の幾何学的変形を行うための文字効果データのうちの１つ以上を含むことができる。前記文字のフォントごとのベクトル軌跡データは、一例として前記第１のユーザから入力されたテキストデータと前記第１のユーザから指定された前記テキストデータのフォントに対応する前記テキストデータのベクトル軌跡データを意味する。前記ベクトル軌跡データとしては、ベジエ(Bezier)曲線データまたはスプライン曲線データを用いてもよい。当業者には周知のことであろうが、ベジエ曲線またはスプライン曲線データは、様々なフォントで広く使用されている曲線データを意味する。ベジエ曲線及びスプライン曲線の特徴は、開始点と終了点とを有し、曲線の形を決定するために、所定のコントロールポイントが該当の曲線の曲率を制御することにある。また、前記二つの形式の曲線は、多重の値を有するものであってもよい。ベジエ曲線またはスプライン曲線は、媒介変数を有する所定の関数を使用するため、前記媒介変数により様々な形の曲線を作成することが可能である。このようなベクトルイメージの場合には、イメージを拡大/縮小してもイメージが壊れたり、荒くならないという利点がある。
【００１７】
また、前記文字色データは、前記第１のユーザにより指定された所定の色に対応する色情報データを意味し、前記文字効果テンプレートデータは、前記第１のユーザにより既に設定されたテンプレート(テキストデータが表示される背景またはテキストデータの表示位置が予め指定された所定の様式を意味する)を利用して前記テキストデータの変形が要求された場合、前記既に設定されたテンプレートに関するデータを意味する。前記文字効果テンプレートデータは、様々な形態に作成されることができ、前記第１のユーザの好みまたは性向により様々なカテゴリに分類し、前記第１のユーザが前記ユーザアプリケーションなどを通して選択できるように提供することが可能である。
【００１８】
また、前記文字効果データは、前記第１のユーザにより直接入力された文字効果に対する変形要求を行うためのデータであり、一例としてユーザによりスクリーンの左側上部角位置を開始点に、右側下部角位置を終了点に入力され、文字の初期の大きさは２４ポイント、終了の大きさは８ポイントで文字効果の変形要求を受信した場合、該当のテキストデータの位置または大きさの変化など、幾何学的な変形を行うために必要なデータである。この文字効果データは、前記第１のユーザに前記ユーザアプリケーションを通してメニュー形式に提供することができる。
【００１９】
本発明によるテキストメッセージ転送サービスシステムは、上述の文字変形リストを書き込んでいるデータベースを参照し、前記第１のユーザにより入力された前記第１の文字情報または前記文字変形要求情報に対応する第２の文字情報を生成する。前記第２の文字情報の生成において、前記第１のユーザにより入力された前記第１の文字情報と前記文字変形要求情報に含まれたフォント情報に対応する所定のベクトル軌跡データを前記データベースから検索、抽出する。これと類似した方法として、前記文字変形要求情報に含まれた文字色情報または背景色情報に対応するそれぞれの文字色データなどを前記データベースから検索、抽出する。前記第２の文字情報は、前記データベースから検索、抽出された、前記テキストデータに対応するベクトル軌跡データ、前記文字色データ、前記文字効果テンプレートデータ、または前記文字効果データのうちの１つ以上を含んでいる変形されたテキストメッセージであってもよい。
【００２０】
次に、ステップＳ１０４では、第２のユーザの第２の端末機に前記第２の文字情報を受信するか否かを通知する。ステップＳ１０４では、前記第２のユーザの前記第２の端末機に、本発明によるテキストメッセージ転送サービスシステムに接続するための所定のコールバック(call-back) ＵＲＬ(Uniform Resource Locator)を含む短文メッセージ(SMS)を転送したり、あるいはＷＡＰ(Wireless Application Protocol) Ｐｕｓｈ方式で行われてもよい。
【００２１】
次に、ステップＳ１０５では、ステップＳ１０４で行われた前記受信するか否かの通知に対応した前記第２のユーザの確認応答を受信し、前記第２のユーザの前記第２の端末機と前記本発明によるテキストメッセージ転送サービスシステムとのセッションを設定する。前記セッションは、物理的には前記第２の端末機と、論理的には前記第２のユーザの前記第２の端末機に設置されたユーザアプリケーションと設定され、これにより、前記ユーザアプリケーションは、前記テキストメッセージ転送サービスシステムから所定のデータを受信することが可能となる。
【００２２】
最後に、ステップＳ１０５では、前記第２のユーザの前記第２の端末機に前記第２の文字情報を転送する。前記変形された第２の文字情報は、前記第２の端末機に設置されたユーザアプリケーションを通して様々なフォント、色、または幾何学的変形を含む様々な文字効果を有するメッセージとして表示される。
【００２３】
本発明によるテキストメッセージ転送サービス提供方法の他の一実施の形態においては、上述のステップＳ１０４を省くことができる。すなわち、本発明によるテキストメッセージ転送サービスシステムは、前記変形された第２の文字情報を前記第２のユーザの前記第２の端末機に直接転送するように設計することができる。このような設計の変更は、当業者には自明なことであろうが、本発明のテキストメッセージ転送サービス提供方法により変形された第２の文字情報を転送するステップを含む実施例であれば、いずれも本発明の範囲に属すると言える。
【００２４】
図２は、本発明による文字転送方法で使用される、ユーザの端末機に設置されるユーザアプリケーションのユーザインタフェースの一例を示す図である。
【００２５】
図２を参照して、本発明によるユーザアプリケーションのユーザインタフェースは、フォントの選択、フォントの形態、文字色、背景色などをユーザにより入力されるように具現することも可能である。図２には、図示のように、所定のテキストデータに対する変形要求情報として、フォントは、「グンショ体」、フォントの形態は、「Italic」、文字色は「オレンジ色」、背景色は「白色」を指定することが可能である。また、図２には示していないが、前記ユーザインタフェースを介して提供されるユーザ入力としては、前記テキストデータの幾何学的変形情報、すなわち、前記テキストデータの回転、移動、明暗などの効果のための情報を入力できる入力フィールドをさらに備えてもよい。上述のように、このような入力フィールドは、前記ユーザアプリケーションにおいて、メニュー形式でユーザにより直接入力されるか、ユーザにより所定のテンプレートが選択される方式で具現することができる。
【００２６】
図３は、本発明により変形されたテキストデータが受信者の端末機に表示された一例を示す図である。
【００２７】
図３を参照して、「特許出願の件」というテキストデータに対し、図２で入力された所定のテキストデータ変形要求情報に基づいて変形されたテキストデータが出力されている。図２では、フォント、フォントの形態、文字色、背景色のみを例示しているが、前記ユーザアプリケーションは、図３に示すように、テキストデータの幾何学的変形まで行われるようにするユーザインタフェースを提供できるように設計されてもよく、このようなテキストデータの幾何学的変形は、図１の説明で上述のような方式で行われてもよい。
【００２８】
図４ａは、本発明によるテキストメッセージ転送サービス提供システムの構成を示す構成ブロック図である。
【００２９】
図４ａを参照して、本発明によるテキストメッセージ転送サービスシステム４１１は、第１のユーザ４０１及び４０２と移動通信網または有無線インターネットを介して接続され、移動通信網を介して第２のユーザ４２１と接続される。また、本発明によるテキストメッセージ転送サービスシステム４１１は、ＳＭＳサーバ４１２と連動して第２のユーザ４２１にテキストメッセージを受信する否かの通知のための短文メッセージを転送するように動作することができる。当業者には周知のことであろうが、ＳＭＳサーバ４２１は、テキストメッセージ転送サービスシステム４１１に備えられてもよく、本発明のさらに他の一実施の形態においては、テキストメッセージ転送サービスシステム４１１には所定のＳＭＳサーバ制御モジュール(図示せず)が備えられ、これを介して遠隔地または外部システムに位置するＳＭＳサーバ４２１を制御し、所定の短文メッセージを第２のユーザ４２１に転送するように設計されてもよい。
【００３０】
第１のユーザ４０１及び４０２は、所定のユーザアプリケーションが設置された移動通信端末機器４０１またはパーソナルコンピュータ４０２を用いて本発明によるテキストメッセージ転送サービスシステムにアクセスすることができる。第１のユーザが移動通信端末機器４０１を用いて移動通信網を介してアクセスする場合、ＷＡＰ(Wireless Application Protocol)を介したアクセスまたは無線インターネットコンテンツアクセスナンバーシステム(Wireless Internet Numbers for Contents; WINC)に基づいて第１のユーザが移動通信端末機器４０１上にテキストメッセージ転送サービスシステム４１１へのアクセスのための所定のＵＲＬに対応するナンバーを入力することにより、テキストメッセージ転送サービスシステム４１１にアクセスする方式も可能であり、移動通信端末機器４０１に設置されたユーザアプリケーションを駆動し、ユーザアプリケーションから提供される所定のアクセスメニューを介してテキストメッセージ転送サービスシステム４１１にアクセスする方式も可能である。また、第１のユーザがパーソナルコンピュータ４０２を用いて有無線インターネットを介してテキストメッセージ転送サービスシステム４１１にアクセスする場合には、パーソナルコンピュータ４０２のウェブブラウザに上述の第１の文字情報、文字変形要求情報、または第２のユーザの第２の端末機４２１の番号を入力できる所定のユーザインタフェースを提供することが可能である。
【００３１】
テキストメッセージ転送サービスシステム４１１は、第１のユーザ４０１及び４０２から転送された第１の文字情報などを受信し、これを第２の文字情報に変形する。前記第２の文字情報は、前記テキストデータに対応するベクトル軌跡データ、前記文字色データ、前記文字効果テンプレートデータ、または前記文字効果データのうちの１つ以上を含む変形されたテキストメッセージであってもよい。
【００３２】
前記第２の文字情報は、上述の様々な方法により第２のユーザ４２１に転送され、転送された前記第２の文字情報は、ユーザアプリケーションの設置された第２のユーザの移動通信端末機器４２１上に表示される。
【００３３】
図４ｂは、本発明によるテキストメッセージ転送サービスシステム４１１の構成を示す構成ブロック図である。
【００３４】
図４ｂを参照して、本発明によるテキストメッセージ転送サービスシステムは、インタフェース部４５１と、ユーザ管理モジュール４５２と、ユーザデータベース４６１と、制御モジュール４７１と、変形リスト情報データベース４８１と、文字変形部４９１とを備えている。
【００３５】
インタフェース部４５１は、有無線通信網、すなわち、移動通信網または有無線インターネットを介した異種デバイスとのインタフェースを行っている。
【００３６】
ユーザ管理モジュール４５２は、第１のユーザ及び第２のユーザのアクセスを管理し、登録管理部４５３と認証管理部４５４とを備えてもよい。登録管理部４５３は、本発明によるテキストメッセージ転送サービスを利用しようとするユーザから所定のユーザ情報を入力され、それをユーザデータベース４６１に格納、管理する。認証管理部４５４は、ユーザが本発明によるシステム４１１にアクセスし、テキストメッセージ転送サービスを利用する場合、所定のセキュリティモジュール(図示せず)と共に連動して前記ユーザを認証し、認証要求データがユーザデータベース４６１に格納されたものと同じものであるか否かを確認し、同じものである場合にのみ、本発明によるテキストメッセージ転送サービスを利用できるように動作する。本発明による認証管理部４５４は、ユーザ側の端末機に設置されるユーザアプリケーションと連動し、該当のユーザを認証できるように具現してもよい。また、本発明の好ましい一実施の形態においては、ユーザ認証のためのＩＤとパスワードは最初のアクセス時のみに入力し、その後のサービスの利用時には前記端末機の番号でユーザ確認を行うようにすることにより、ユーザの便宜を図るように設計してもよい。
【００３７】
制御モジュール４７１は、本発明によるテキストメッセージ転送サービスシステム４１１の全体動作を制御し、課金制御モジュール４７２とＳＭＳサーバ制御モジュール４７３とを備えている。
【００３８】
課金制御モジュール４７２は、本発明によるテキストメッセージ転送サービスシステムに備えられたり、外部に位置したりする課金モジュール(図示せず)を制御し、ユーザのテキストメッセージ転送サービスの利用に対する所定の課金が行われるようにする機能を有する。
【００３９】
ＳＭＳサーバ制御モジュール４７３は、本発明によるテキストメッセージ転送サービスシステムに備えられたり、外部に位置したりするＳＭＳサーバ(図示せず)を制御し、ユーザの端末機に所定の短文メッセージ(ＳＭＳ)を転送するようにする機能を有する。
【００４０】
変形リスト情報データベース４８１には、文字情報の変形のための変形リストデータが書き込まれている。図１の説明で上述したように、前記文字変形リストデータは、文字のフォントごとのベクトル軌跡データ、前記文字色に関連した文字色データ、前記文字の大きさ及び前記文字の幾何学的変形効果と関連した文字効果テンプレートデータ、または前記文字の幾何学的変形を行うための文字効果データのうちの１つ以上を含んでもよい。
【００４１】
文字変形部４９１は、変形リスト情報データベース４８１を参照し、第１のユーザから受信した第１の文字情報または文字変形要求情報に対応する第２の文字情報を生成する。第２の文字情報の生成については、図１の説明と同様であり、ここでは、その詳細を省略する。
【００４２】
図４ｂに示してはいないが、本発明によるテキストメッセージ転送サービスシステムは、ユーザデータベース４６１または変形リスト情報データベース４８１などのデータベース手段を管理するためのデータベース管理モジュール(DBMS)をさらに備えてもよい。本発明によるテキストメッセージ転送サービスシステム４１１のデータベース管理モジュールは、オラクル(Oracle)、インフォミックス(Infomix)、サイベース(Sybase)、ＤＢ２のような関係型データベース管理システム(RDBMS)、またはゲムストン(Gemston)、オリオン(Orion)、Ｏ２などのようなオブジェクト指向データベース管理システム(OODBMS)を利用して本発明の目的に沿って具現化することができる。
【００４３】
本発明の各実施の形態は、様々なコンピュータにより具現される動作を行うためのプログラム命令を含むコンピュータ読み取り可能な媒体を備えている。前記コンピュータ読み取り可能な媒体は、プログラム命令、データファイル、データ構造などを単独に、または組み合わせて備えてもよい。前記媒体に書き込まれるプログラム命令は、本発明のために特別に設計され、構成されたものであるか、コンピュータソフトフェアの当業者に公知であり、使用可能なものであってもよい。コンピュータ読み取り可能な記録媒体は、一例として、ハードディスク、フロッピー（登録商標）ディスク及び磁気テープのような磁気媒体(magnetic media)、ＣＤ-ＲＯＭ、ＤＶＤのような光記録媒体(optical media)、フロプティカルディスク(floptical disk)のような磁気-光媒体(magneto-optical media)、及びロム(ROM)、ラム(RAM)、フラッシュメモリなどのようなプログラム命令を格納するように特別に構成されたハードウェア装置が挙げられる。前記媒体は、プログラム命令、データ構造などを指定する信号を転送する搬送波を含む光または金属線、導波管などの伝送媒体であってもよい。プログラム命令の例としては、コンパイラにより生成されるような機械語コードのみならず、インタプリタなどを使用してコンピュータで実行できる高級言語コードも挙げられる。
【００４４】
図５は、本発明による文字転送サービスシステムの構成に採用できる汎用コンピュータシステムの内部ブロック図である。
【００４５】
コンピュータシステム５００は、ラム(RAM: Random Access Memory)５０２と、ロム(ROM: Read Only Memory)５０３とを備えた主記憶装置と接続される１つ以上のプロセッサ５０１を備えている。プロセッサ５０１は、中央処理装置(ＣＰＵ)とも呼ばれる。本技術の分野で広く知られているように、ロム５０３は、データ(data)や命令(instruction)を単方向性にＣＰＵに伝達し、ラム５０２は、通常にデータや命令を双方向性に伝達するときに使用される。ラム５０２及びロム５０３は、コンピュータ読み取り可能な媒体のいずれの適切な形態を備えてもよい。大容量の記憶装置(Mass Storage)５０４は、双方向性にプロセッサ５０１と接続され、さらなるデータ格納能力を提供し、上述のコンピュータ読み取り可能な名記録媒体のうちのいずれのものであってもよい。大容量記憶装置５０４は、プログラム、データなどを格納するときに使用され、通常、主記憶装置よりも速度の遅いハードディスクのような補助記憶装置である。ＣＤ-ＲＯＭ５０６のような特定の大容量の記憶装置を使用してもよい。プロセッサ５０１は、ビデオモニター、トラックボール、マウス、キーボード、マイクロフォーン、タッチスクリーン型ディスプレイ、カード読み取り機、磁気または紙テープ読み取り機、音声または筆記認識機、ジョイスティック、またはその他の公知のコンピュータ入出力装置のような１つ以上の入出力インタフェース５０５と接続される。最終に、プロセッサ５０１は、ネットワークインタフェース５０７を介して有線または無線通信ネットワークに接続されてもよい。このようなネットワーク接続により前述の方法の手順を行うことができる。前述の装置及び手段は、コンピュータハードウェア及びソフトフェア技術分野の当業者には周知のことであろう。
【００４６】
前述のハードウェア装置は、本発明の動作を行うために１つ以上のソフトフェアモジュールとして作動するように構成してもよい。
【００４７】
以上において説明した本発明は、本発明が属する技術の分野における通常の知識を有する者であれば、本発明の技術的思想を逸脱しない範囲内で、様々な置換、変形及び変更が可能であるので、上述した実施例及び添付された図面に限定されるものではない。
【発明の効果】
【００４８】
本発明による文字変形効果を与えるテキストメッセージ転送サービス方法及びそのシステムによれば、移動通信網または有無線インターネットを介してユーザの端末機に出力されるテキストメッセージに幾何学的変形及び様々な色効果を提供することにより、テキストメッセージユーザの様々なニーズに応えられるという技術的効果がある。
【００４９】
また、本発明による文字変形効果を与えるテキストメッセージ転送サービス方法及びそのシステムによれば、テキストメッセージユーザにより自分好みの形態及び色の文字を転送できるようにすることにより、テキストメッセージ転送サービスの活性化はもちろん、移動通信網のさらなる利用を促すことができるという技術的効果がある。
【図面の簡単な説明】
【００５０】
【図１】本発明により様々な視覚的な効果を与えたテキストメッセージ転送サービスの提供方法を示すフローチャートである。
【図２】本発明によるテキストメッセージ転送方法で使用される、ユーザの端末機に設置されるユーザアプリケーションのユーザインタフェースの一例を示す図である。
【図３】本発明により変形されたテキストメッセージが受信者の端末機に表示された一例を示す図である。
【図４ａ】本発明によるテキストメッセージ転送サービス提供システムの構成を示す構成ブロック図である。
【図４ｂ】本発明によるテキストメッセージ転送サービス提供システムの構成を示す構成ブロック図である。
【図５】本発明によるテキストメッセージ転送サービス提供方法及びそのシステムで採用できる汎用コンピュータシステムの内部ブロック図である。
【符号の説明】
【００５１】
４０１  第１の端末機(移動通信端末機器)
４０２  第１の端末機(パーソナルコンピュータ)
４０３  文字変形部
４０４  ＳＭＳ制御部
４０５  作業制御部
【図１】
2005071369.tif 000003
【図２】
2005071369.tif 000004
【図３】
2005071369.tif 000005
【図４ａ】
2005071369.tif 000006
【図４ｂ】
2005071369.tif 000007
【図５】
2005071369.tif 000008